(57)【特許請求の範囲】
【請求項１】
装置本体に着脱自在に装着される給紙カセットに収納されたシートをシート給送部により給送するシート給送装置において、
前記給紙カセットは、
シートが収納されるカセット本体と、
前記カセット本体に上下方向に回動自在に設けられ、積載されたシートを前記シート給送部に押し付け、シートが給送されてシートの積載量が減少すると、下流側端部が順次上方回動するシート積載部と、
前記カセット本体に設けられ、前記シート積載部に積載されたシートのシート給送方向と直交する幅方向の側端の位置を規制する少なくとも一方が幅方向に移動可能な対向する一対の側端規制部と、
前記一対の側端規制部のうちの幅方向に移動可能な側端規制部に設けられ、前記シート積載部に積載されたシートの側端を押圧し、シートを他方の前記側端規制部に押し付けるシート押圧部と、を備え、
前記シート押圧部は、前記側端規制部の下流側の上部に設けられる下流側シート押圧部と、前記下流側シート押圧部よりも上流側に設けられる上流側シート押圧部と、を有し、前記上流側シート押圧部は、前記シート積載部に積載されたシートの側端を押圧する押圧部及び前記押圧部を横切る凹部を有し、前記凹部は、積載されているシートの積載量の減少に伴って前記シート積載部が所定量上方回動したときに、シートに対して平行な状態でシートと対向するように、前記凹部の上面のシート給送方向上流側端よりも前記凹部の下面のシート給送方向下流側端の方が高くなるように傾斜して形成されていることを特徴とするシート給送装置。
【請求項２】
前記凹部は、前記シート積載部が所定量、上方回動したときに、上下方向の幅が前記所定量上方回動した前記シート積載部に積載されたシートの高さ以上となるように形成されていることを特徴とする請求項１記載のシート給送装置。
【請求項３】
前記上流側シート押圧部を、前記凹部を有する上部押圧部と、前記上部押圧部から前記凹部を境にして分割された下部押圧部とにより構成することを特徴とする請求項１又は２記載のシート給送装置。
【請求項４】
前記移動可能な側端規制部の前記上流側シート押圧部の近傍に、上下方向に伸び、少なくとも前記シート積載部が前記所定量上方回動した際、シートを押圧する、前記上流側シート押圧部の押圧力よりも押圧力が弱く設定されている補助シート押圧部を配置したことを特徴とする請求項１乃至３のいずれか１項に記載のシート給送装置。
【請求項５】
前記凹部の内部に、少なくとも前記シート積載部が前記所定量上方回動した際、シートを押圧する、前記上流側シート押圧部の押圧力よりも押圧力が弱く設定されている補助シート押圧部を配置したことを特徴とする請求項１乃至３のいずれか１項に記載のシート給送装置。
【請求項６】
画像形成部と、前記画像形成部にシートを給送する請求項１乃至５のいずれか１項に記載のシート給送装置と、を備えたことを特徴とする画像形成装置。
【発明の詳細な説明】
【技術分野】
【０００１】
本発明は、シート給送装置及び画像形成装置に関し、特に装置本体に着脱自在に装着される給紙カセットに収納されたシートの側端位置を規制する側端規制部の構成に関する。
【背景技術】
【０００２】
今日、複写機、プリンタ、ファクシミリ等の画像形成装置においては、シート給送装置によりシートを画像形成部に給送して画像を形成するようにしたものが広く普及している。そして、このようなシート給送装置としては、装置本体に給紙カセットを着脱自在に装着し、給紙カセットに収納されたシートを画像形成部に自動給送するようにしているのが一般的である。
【０００３】
このようなシート給送装置に用いられる給紙カセットとしては、例えば、シートを積載してシート給送ローラに押し付ける中板を昇降自在に設けたものがある。さらに、このような中板を設けた給紙カセットには、異なるサイズのシートを収納することができるように中板上に積載収納されたシートのシート給送方向上流側端（以下、後端という）の位置を規制する後端規制部がスライド可能に設けられている。また、シートのシート給送方向と直交する方向（以下、幅方向という）の側端位置を規制する一対の側端規制部が設けられている。
【０００４】
そして、一対の側端規制部によってシートの側端を規制する一方、後端規制部材によってシートの後端を規制し、シートの先端位置を常に所定の位置に規制するようにしている。これにより、給紙カセットを装置本体に収納した際、シートのサイズに拘らず、安定したシートの給送を行うことができる。
【０００５】
このような側端規制部を備えた給紙カセットとしては、一方の側端規制部を固定すると共に、他方の側端規制部を幅方向にスライド可能としたものがある。そして、一方の固定された側端規制部（以下、固定側端規制部という）をシートの幅方向の基準面とし、シートを固定側端規制部に沿って給送することにより、所定の印字精度を達成するようにしている。
【０００６】
ところで、このような給紙カセットにおいて、給紙カセットの着脱方向が幅方向の場合、給紙カセットをセットした際、慣性力によりシートがずれて固定側端規制部から離間する場合がある。そこで、従来は、一対の側端規制部のうち、スライド可能な側端規制部（以下、可動側端規制部という）にシートを押圧するシート押圧部を設けるようにしている。そして、このシート押圧部により、シートがずれた場合、ずれたシートを固定側端規制部に押し戻すようにしている。
【０００７】
ここで、このようにずれたシートを元の位置に押し戻すためには、シート押圧部の押圧力を強くする必要がある。しかし、シート押圧部の押圧力を、シート積載量が多い状態のとき、例えばシートの満載時において、シートを押し戻すことができるような大きさに設定すると、シート積載量が少ない少載状態のとき、シートが中板上で撓み、適切な姿勢を保つことができない。つまり、シート押圧部の押圧力を、満載時においてシートを元の位置に押し戻すことができるような強さとした場合、少載状態のとき、シートが中板上で撓み、適切な姿勢を保つことができない。
【０００８】
そこで、従来は満載時のシートへの押圧力を高めつつ、少載時におけるシートの撓みを発生させない工夫が、提案されている。例えば、リンクを使用してシート押圧部の押圧力を積極的に可変させ、シート積載量が少ない状態において、押圧力を弱くする構成が提案されている（特許文献１参照）。しかし、この構成は、構成部品が増えるので、コストが増える。そこで、構成部品が増えることがないように、シート押圧部に逃げ面を形成し、この逃げ面により、少載時にはシート押圧部による押圧力を減少させる、またはシートが接しないようにしてシートを押圧しない構成が提案されている（特許文献２参照）。
【０００９】
なお、図８は、シート押圧部に逃げ面を形成した可動側端規制部を備えた給紙カセットの斜視図であり、図８の（ａ）はシートＳが少載時の状態を示し、図８の（ｂ）はシートＳが満載時の状態を示している。ここで、この状態のとき、不図示の付勢手段により中板７１３は上昇し、中板上のシートＳはシート給送ローラ７０８に圧接している。また、このときシートＳは固定側端規制部７１４と可動側端規制部７１５とにより幅方向の移動が規制されている。そして、この可動側端規制部７１５に設けられたシート押圧部７１６，７１７のうち、矢印に示すシート給送方向の中央部に位置するシート押圧部７１６には、少載時、シートＳに対する押圧力が減少するように、逃げ形状７１６ａが形成されている。
【先行技術文献】
【特許文献】
【００１０】
【特許文献１】特開２０００−１１８７３０号公報
【特許文献２】特開２０００−２１９３３０号公報
【発明の概要】
【発明が解決しようとする課題】
【００１１】
しかし、このようなシート給送装置及び画像形成装置においては、例えばシート押圧部に逃げ面を形成した場合、図９の（ａ）に示すように、シート満載時、シートＳとシート押圧部７１６の間には、逃げ形状７１６ａの下方に空間７１６ｂができる。このため、シートＳをセットした状態で給紙カセットを傾けたり、装置本体へ取付ける際に衝撃が発生したりすると、図９の（ｂ）に示すように、シートＳのうちシート押圧部７１６に接していないシートが、空間９１６ｂへずれてしまう。この状態で中板７１３を上昇させると、ずれたシートによってバネ９０１によるシート押圧部７１６の押圧力を阻害してしまったり、ずれてしまったシートＳが、その姿勢のまま給送されてしまう可能性がある。
【００１２】
昨今、給紙カセットにおいては、多種多様なシートの収納、より大きな積載能力が求められているが、このような従来の構成では、充分な給送性能を実現するのは難しくなってきている。
【００１３】
そこで、本発明は、このような現状に鑑みてなされたものであり、簡単な構成で、シートを適切な位置に確実に保持すると共に、少載時のシートの撓みを防止することのできるシート給送装置及び画像形成装置を提供することを目的とするものである。
【課題を解決するための手段】
【００１４】
本発明は、装置本体に着脱自在に装着される給紙カセットに収納されたシートをシート給送部により給送するシート給送装置において、前記給紙カセットは、シートが収納されるカセット本体と、前記カセット本体に上下方向に回動自在に設けられ、積載されたシートを前記シート給送部に押し付け、シートが給送されてシートの積載量が減少すると、下流側端部が順次上方回動するシート積載部と、前記カセット本体に設けられ、前記シート積載部に積載されたシートのシート給送方向と直交する幅方向の側端の位置を規制する少なくとも一方が幅方向に移動可能な対向する一対の側端規制部と、前記一対の側端規制部のうちの幅方向に移動可能な側端規制部に設けられ、前記シート積載部に積載されたシートの側端を押圧し、シートを他方の前記側端規制部に押し付けるシート押圧部と、を備え、前記シート押圧部は、前記側端規制部の下流側の上部に設けられる下流側シート押圧部と、前記下流側シート押圧部よりも上流側に設けられる上流側シート押圧部と、を有し、前記上流側シート押圧部は、前記シート積載部に積載されたシートの側端を押圧する押圧部及び前記押圧部を横切る凹部を有し、前記凹部は、積載されているシートの積載量の減少に伴って前記シート積載部が所定量上方回動したときに、シートに対して平行な状態でシートと対向するように、前記凹部の上面のシート給送方向上流側端よりも前記凹部の下面のシート給送方向下流側端の方が高くなるように傾斜して形成されていることを特徴とするものである。
【発明の効果】
【００１５】
本発明のように、シート押圧部に、シートの側端を押圧する押圧部及び押圧部を横切る凹部を設ける。そして、この凹部を上面のシート給送方向上流側端よりも下面のシート給送方向下流側端の方が高くなるように形成することにより、簡単な構成で、シートを適切な位置に確実に保持すると共に、少載時のシートの撓みを防止することができる。
【図面の簡単な説明】
【００１６】
【図１】本発明の第１の実施の形態に係る画像形成装置の一例であるレーザープリンタの構成を示す図。
【図２】上記レーザープリンタのプリンタ本体に着脱自在に設けられた給紙カセットの構成を説明する図。
【図３】上記給紙カセットの積載状態を示す斜視図。
【図４】上記給紙カセットに設けられたシート押圧部に形成された逃げ形状を説明する図。
【図５】本発明の第２の実施の形態に係る画像形成装置に装着される給紙カセットの斜視図。
【図６】本発明の第３の実施の形態に係る画像形成装置に装着される給紙カセットの斜視図。
【図７】本発明を適用可能な第４の実施の形態に係る給紙カセットおよび画像形成装置を説明する図である。
【図８】従来の給紙カセットの斜視図。
【図９】上記従来の給紙カセットの課題を説明する図。
【発明を実施するための形態】
【００１７】
以下、本発明を実施するための形態を図面に基づき詳細に説明する。図１は、本発明の第１の実施の形態に係る画像形成装置の一例であるレーザープリンタの構成を示す図である。２００はレーザープリンタ（以下、プリンタという）、２００Ａはレーザープリンタ本体（以下、プリンタ本体という）である。このプリンタ本体２００Ａは、シートＳに画像を形成する画像形成部２０１と、給紙カセット２０７からシートＳを給送するシート給送装置２００Ｂ等を備えている。
【００１８】
画像形成部２０１は、スキャナーユニット２０３と、イエロー（Ｙ）、マゼンタ（Ｍ）、シアン（Ｃ）及びブラック（Ｂｋ）の４色のトナー画像を形成する４個のプロセスカートリッジ２０２を備えている。また、画像形成部２０１は、プロセスカートリッジ２０２の上方に配された中間転写ユニット２００Ｃを備えている。ここで、各プロセスカートリッジ２０２は、感光体ドラム２０２１等を備えている。
【００１９】
中間転写ユニット２００Ｃは、中間転写ベルト２０４と、中間転写ベルト２０４の内側に設けられ、感光体ドラム２０２１に対向した位置で中間転写ベルト２０４に当接する１次転写ローラ２０５を備えている。そして、この中間転写ベルト２０４に１次転写ローラ２０５によって正極性の転写バイアスを印加することにより、感光体ドラム上の負極性を持つ各色トナー像が順次中間転写ベルト２０４に多重転写される。これにより、中間転写ベルト上にはフルカラー画像が形成される。
【００２０】
次に、このように構成されたプリンタ２００の画像形成動作について説明する。画像形成動作が開始されると、まず不図示のパソコン等からの画像情報に基づきスキャナーユニット２０３はレーザ光を照射し、表面が所定の極性・電位に一様に帯電されている感光体ドラム２０２１の表面を順次露光して感光体ドラム上に静電潜像を形成する。この後、この静電潜像をトナーにより現像し、可視化する。
【００２１】
この後、各プロセスカートリッジ２０２の感光体ドラム２０２１に形成されたイエロートナー像、マゼンタトナー像、シアントナー像及びブラックトナー像が１次転写部において１次転写ローラ２０５により、中間転写ベルト２０４に転写される。これにより、中間転写ベルト２０４上にフルカラートナー画像が形成される。
【００２２】
また、このトナー画像形成動作に並行して給紙カセット２０７に収容されたシートＳがシートＳの先端部付近に配置されたシート給送部であるシート給送ローラ１０８により送り出される。そして、このシートＳは、レジストローラ対２０９により斜行が補正された後、２次転写部２１０で中間転写ベルト上のフルカラートナー像とシートＳの位置を合わせるようにレジストローラ対２０９が駆動される。
【００２３】
そして、２次転写部２１０で中間転写ベルト２０４上のフルカラートナー像とシートＳの位置を合わせるように、レジストローラ対２０９によりシートＳを２次転写部２１０まで搬送する。これにより、２次転写部２１０にて、フルカラートナー像がシートＳ上に一括して転写される。次に、このようにフルカラートナー像が転写されたシートＳは、定着部２１１に搬送され、この定着部２１１において熱及び圧力を受けて各色のトナーが溶融混色し、シートＳにフルカラーの画像として定着される。この後、定着部２１１を通過したシートＳは、プリンタ本体上面に設けられた排紙トレイ２１２に、画像面を下に向けて排紙される。
【００２４】
ところで、給紙カセット２０７は、シート給送装置２００Ｂの装置本体を兼ねるプリンタ本体２００Ａに対して着脱自在に設けられている。そして、シートを補充する場合等は、図２に示すように給紙カセット２０７は、プリンタ本体２００Ａからシート給送方向と直交する幅方向に引き出されるようになっている。
【００２５】
ここで、図２に示すように、給紙カセット２０７のカセット本体を構成する枠体１１２の内部には、シート積載部であるシート積載板１１３が、支持部１１３ａ，１１３ｂを支点として上下方向に回動自在に取り付けられている。そして、このシート積載板１１３は、積載されたシートが順次給送されると、枠体１１２とシート積載板１１３の間に介在する不図示の付勢手段によってシート給送方向下流側端部が順次上方回動する。
【００２６】
さらに、枠体１１２の内部には、シートＳの幅方向の側端位置を規制する一対の側端規制部である一対のサイド規制板１１４，１１５が、対向して配置されている。ここで、サイド規制板１１４は、枠体１１２に固定されたものであり、この固定側端規制部である固定サイド規制板１１４は、シートＳの幅方向の基準面を成すものである。そして、シートを給送する際は、シートＳを固定サイド規制板１１４に沿わせながら給送することで、所定の印字精度を達成することができる。
【００２７】
サイド規制板１１５は、幅方向にスライド可能となっており、収納するシートのサイズに応じて幅方向にスライドするようになっている。なお、本実施の形態においては、サイド規制板１１４，１１５の少なくとも一方の側端規制部であるサイド規制板１１５を移動可能としているが、他方の側端規制部であるサイド規制板１１４も、同様に移動可能としても良い。
【００２８】
そして、この可動側端規制部である可動サイド規制板１１５の内壁面には、シートを押圧するシート押圧部１１６，１１７が設けられている。このシート押圧部１１６，１１７は、シート積載板１１３上に積載されたシートＳを、対向する固定サイド規制板１１４に押し付けるものである。そして、このようなシート押圧部１１６，１１７を設けることにより、給紙カセット２０７を収納する際の衝撃によってシートＳが幅方向にずれて固定サイド規制板１１４から離れた場合に、シートＳを固定サイド規制板１１４に押し戻すことができる。
【００２９】
図３は給紙カセットの積載状態を示す斜視図であり、図３の（ａ）は、シートＳの積載量が少載の場合の状態を、図３の（ｂ）はシートＳの積載量が満載の場合の状態を示している。ここで、図３に示されるように、矢印に示すシート給送方向の中央部に位置するシート押圧部１１６（上流側シート押圧部）にはシート押圧部１１６を横切る凹部である逃げ形状１１６ａが形成されている。そして、このようにシート押圧部１１６に逃げ形状１１６ａを形成することにより、図３の（ａ）に示すシートＳの少載時、シート押圧部１１６からのシートＳに対する押圧力を減少させることができる。
【００３０】
なお、このシート押圧部１１６のシート給送方向下流側に位置するシート押圧部１１７は（下流側押圧部）、可動サイド規制板１１５のシート給送方向下流側の上部に設けられている。そして、このように可動サイド規制板１１５にシート押圧部１１７を設けることにより、後述するように逃げ形状１１６ａを設けてシートを押圧する力を小さくした場合でも、シートを撓ませることなくシートを固定サイド規制板１１４に押し戻すことができる。
【００３１】
次に、図４を用いて逃げ形状１１６ａについて説明する。図４の（ａ）において、点１１６ｂは、逃げ形状１１６ａにより仕切られたシート押圧部１１６のシートの側端を押圧する押圧部を構成する上部シート押圧部１１６Ａの最下端の頂点である。言い換えれば、逃げ形状１１６ａの上面のシート給送方向上流側端である。点１１６ｃは、逃げ形状１１６ａにより仕切られたシート押圧部１１６のシートの側端を押圧する押圧部を構成する下部シート押圧部１１６Ｂの最上端の頂点である。言い換えれば、逃げ形状１１６ａの下面のシート給送方向下流側端である。
【００３２】
そして、この点１１６ｃは点１１６ｂよりも上方に配置されている。つまり、逃げ形状１１６ａは、上面のシート給送方向上流側端よりも下面のシート給送方向下流側端の方が高くなるように形成されている。また、この逃げ形状１１６ａは、上下方向の幅が少載状態の際、シート積載板１１３に積載されたシートの高さ以上となるように形成されている。
【００３３】
これにより、例えばシート満載時、シート積載板１１３に積載された全てのシートＳが、シート押圧部１１６に接する。言い換えれば、シート積載板１１３に積載された全てのシートＳを１つの直方体としてみた場合、直方体を厚み方向のどこで切っても、例えばＬ１〜Ｌ４の位置で切ってもシート押圧部１１６の押圧面が現れる。つまり、逃げ形状１１６ａを既述したような形状に形成することにより、給紙カセットの平面図である図４の（ｂ）に示すように、一部のシートＳは、その側端が逃げ形状１１６ａに面するが、全てのシートＳがシート押圧部１１６に接するようになる。これにより、シート満載時、全てのシートＳがシート押圧部１１６により固定サイド規制板側へ押圧されることになる。
【００３４】
また、逃げ形状１１６ａは、図４の（ｃ）に示すように少載状態となってシート積載板１１３が所定量上方回動し、これに伴ってシート積載板上のシートＳが傾斜すると、シートＳに対してほぼ平行となる。これにより、シートＳの積載量が少載となったとき、シートＳが小サイズ紙や薄紙等、幅方向の押圧力により撓みが発生しやすいシートＳであっても、シート押圧部１１６の押圧力が減少するため、シートＳが撓むことはない。したがって、シート押圧部１１６の押圧圧を、少載の状態におけるシートＳの撓みに対する影響を考慮せずに、シートＳが満載の状態においてシートＳの位置ずれが発生しないような大きさに設定することが可能となる。
【００３５】
以上に説明したように、シート押圧部１１６に既述したような形状を有する逃げ形状１１６ａを設けることにより、シート積載板１１３が下降する満載状態では、全てのシートＳがシート押圧部１１６に接するようになる。これにより、シート満載時、全てのシートＳがシート押圧部１１６により固定サイド規制板側へ押圧されることになる。また、シートが給送されてシートの積載量が所定量以下である少載状態になると、シートに対する押圧力を低減させることができる。
【００３６】
つまり、シート押圧部１１６に、積載シートが所定量以下になると、シートに対する押圧力を低減させる逃げ形状１１６ａを設けることにより、簡単な構成で、シートを適切な位置に確実に保持すると共に、少載時のシートの撓みを防止することができる。この結果、満載状態における全てのシートに対して位置ずれと、少載時におけるシートＳの撓み防止を安価でシンプルな構成で提供することができる。
【００３７】
次に、本発明の第２の実施の形態について説明する。図５は、本実施の形態に係る画像形成装置に装着される給紙カセットの斜視図である。なお、図５において、既述した図３と同一符号は、同一又は相当部分を示している。
【００３８】
本実施の形態においては、図５に示すように、シート給送方向の中央部に位置するシート押圧部１１６は、上下方向に２つに分割した下部シート押圧部４０１と、上部シート押圧部４０２を備えている。ここで、上部シート押圧部４０２は、第１の実施の形態と同様の構成の、逃げ形状４０２ａが形成され、下部シート押圧部４０１は、逃げ形状４０２ａを境にして分割されている。このように、本実施の形態においては、シート押圧部１１６を、逃げ形状４０２ａを有する上部シート押圧部４０２と、上部シート押圧部４０２から逃げ形状４０２ａを境にして分割された下部シート押圧部４０１とにより構成している。
【００３９】
ここで、本実施の形態のように、シート押圧部１１６を下部シート押圧部４０１と上部シート押圧部４０２とに分割することにより、下部シート押圧部４０１及び上部シート押圧部４０２の押圧力を別々に設定することが可能になる。例えば、下側シート押圧部４０１は、逃げ形状４０２ａを有していないため、シートの撓みを考慮しなくても良い満載から中載においてのみシートを押圧する。このため、少載の状態におけるシートＳの撓みを考慮することなく、満載状態において、シートＳの位置ずれが発生しないように押圧力を決定できる。よって、上部シート押圧部４０２への押圧力に対して、より強い押圧力を付与することが可能となり、より安定した給送性能を安価でシンプルな構成で提供することができる。
【００４０】
ところで、既述した第１及び第２の実施の形態のように、シート押圧部１１６に逃げ形状を形成した場合、少載の状態におけるシートＳに対する押圧力を弱めることができるが、押圧力が弱すぎると、シートＳの位置ずれが発生する場合がある。そこで、このようにシート押圧部１１６に逃げ形状を形成した場合でも、シートＳの位置ずれの発生を防ぐことができるように、逃げ形状の近傍あるいは、逃げ形状の内部に補助シート押圧部を設けるようにしても良い。
【００４１】
次に、このように補助シート押圧部を設けるようにした本発明の第３の実施の形態について説明する。図６は、本実施の形態に係る画像形成装置に装着される給紙カセットの斜視図である。なお、図６において、既述した図３と同一符号は、同一又は相当部分を示している。
【００４２】
図６において、５０１はシート押圧部１１６の近傍に配置され、上下方向に伸びた補助シート押圧部であり、この補助シート押圧部５０１はシートＳが少載状態の場合でも機能する。ここで、このようにシート押圧部１１６の近傍に、シートＳが少載状態の場合でも機能する補助シート押圧部５０１を配置することにより、シート押圧部１１６に逃げ形状１１６ａを形成した場合でも、シートＳの位置ずれの発生を防ぐことができる。なお、この補助シート押圧部５０１の押圧力は、シートの撓みが発生しないようにシート押圧部１１６の押圧力よりも小さく設定されている。
【００４３】
さらに、このような補助シート押圧部５０１を配置することにより、シート押圧部１１６の少載給送時のシートＳへの押圧力を、シートＳに撓みが発生しない程度にまで低い押圧力に設定することができる。この結果、シート押圧部１１６の押圧力を、少載時に特化して設定することができ、より安定した給送性能を安価でシンプルな構成で提供することができる。
【００４４】
次に、補助シート押圧部を設けるようにした本発明の第４の実施の形態について説明する。図７は、本実施の形態に係る画像形成装置に装着される給紙カセットの斜視図である。なお、図７において、既述した図３と同一符号は、同一又は相当部分を示している。本発明の第４の実施の形態について説明する。
【００４５】
図７において、６０１はシート押圧部１１６に形成された逃げ形状１１６ａの内部に配置された補助シート押圧部である。ここで、このように逃げ形状１１６ａの内部に補助シート押圧部６０１を配置することにより、逃げ形状１１６ａを形成した場合でも、シートＳの位置ずれの発生を防ぐことができる。また、このような補助シート押圧部６０１を逃げ形状１１６ａの内部に配置することにより、シート押圧部１１６の少載給送時のシートＳへの押圧力を、シートＳに撓みが発生しない程度にまで低い押圧力に設定することができる。さらに、補助シート押圧部６０１を逃げ形状１１６ａの内部に配置することにより、シート押圧部１１６の構成をコンパクトにすることができる。
【符号の説明】
【００４６】
１０８…シート給送ローラ、１１２…枠体、１１３…シート積載板、１１４…固定サイド規制板、１１５…可動サイド規制板、１１６，１１７…シート押圧部、１１６ａ…逃げ形状、２００…レーザープリンタ、２００Ａ…レーザープリンタ本体、２００Ｂ…シート給送装置、２０１…画像形成部、２０７…給紙カセット、４０１…下部シート押圧部、４０２…上部シート押圧部、４０２ａ…逃げ形状、５０１…補助シート押圧部、６０１…補助シート押圧部、Ｓ…シート
【図１】
0005606232.tif 000002
【図２】
0005606232.tif 000003
【図３】
0005606232.tif 000004
【図４】
0005606232.tif 000005
【図５】
0005606232.tif 000006
【図６】
0005606232.tif 000007
【図７】
0005606232.tif 000008
【図８】
0005606232.tif 000009
【図９】
0005606232.tif 000010